(57)【要約】  【課題】  簡単な構成で電子機器のロック機構を実現し、コスト削減及び小型化を図ることのできるデータ転送用架台及びデータ転送システムを提供する。  【解決手段】  電子機器２を設置するデータ転送用架台１０を有するデータ転送システム１において、電子機器２の底面２ａに当接するアーム１８の先端にフック１９を設け、アーム１９及びフック１８は第１、第２溝部２０ａ、２０ｂがアーム１８に設けた第１、第２ピン１８ａ、１８ｂを案内して回動及びスライド移動する。電子機器２を装着部１３に挿入するとフック１９及びアーム１８が回動して電子機器２の背面２ｂに設けた孔部３に侵入する。フック１９及びアーム１８の弾性力によって電子機器２が挟持されて装着状態がロックされ、データ転送が行われる。電子機器２をロックされた状態から更に下方に押圧すると第１、第２ピン１８ａ、１８ｂが第１、第２溝部２０ａ、２０ｂの案内により挿入方向から離れてスライドし、フック１９が孔部３から退避する。これによりロック状態が解除される。【選択図】      図１
2005346992.tif 000002
【特許請求の範囲】
【請求項１】
携行可能な電子機器を該電子機器の底面から挿入して装着する装着部と、前記装着部に装着した電子機器に接続してデータ通信を可能にする接続部と、前記装着部に装着した電子機器の底面に垂直な面に設けられる孔部に係合して装着状態をロックするフックとを備えたデータ転送用架台において、
前記フックは、前記装着部への電子機器の挿入に連動して前記装着部内に突出し、前記接続部が電子機器に接続する位置で前記孔部の方向に付勢する弾性力により前記孔部に侵入して装着状態をロックするロック位置に配置され、ロック位置から更に挿入方向に移動する電子機器と一体に移動しながら前記孔部から退避して装着状態のロックを解除するロック解除位置に配置されることを特徴とするデータ転送用架台。
【請求項２】
前記装着部に挿入される電子機器の底面に当接するとともに前記フックと一体の可撓性のアームと、電子機器の装着を開始する位置から前記ロック位置まで前記フック及び前記アームを回動可能に支持するとともに前記ロック位置から前記ロック解除位置までスライド案内する案内部と、電子機器の挿入方向と逆方向に前記フック及び前記アームを付勢する付勢手段とを設け、電子機器を前記装着部に挿入すると前記フックが前記装着部内に突出して電子機器に当接し、更に挿入することにより前記アームが撓むことを特徴とする請求項１に記載のデータ転送用架台。
【請求項３】
前記案内部は、円弧状の円弧部と電気機器の挿入方向に対して傾斜した傾斜部とを有する第１溝部と、前記傾斜部に平行な第２溝部とから成るとともに、第１、第２溝部にそれぞれ案内される第１、第２突起部を前記フックまたは前記アームに設け、第１溝部により第１突起部を案内して前記フックが回動するとともに、第１、第２溝部により第１、第２突起部を案内して前記フックが前記孔部から退避することを特徴とする請求項２に記載のデータ転送用架台。
【請求項４】
前記アーム及び前記フックは一端が開放したコ字型に一体に形成されるとともに、開放側を狭める方向の弾性力によって前記ロック位置で電子機器を挟持することを特徴とする請求項２または請求項３に記載のデータ転送用架台。
【請求項５】
前記接続部により電子機器に電源供給することを特徴とする請求項１〜請求項４のいずれかに記載のデータ転送用架台。
【請求項６】
請求項１〜請求項４のいずれかに記載のデータ転送用架台と、前記データ転送用架台に設置される電子機器とを備えたことを特徴とするデータ転送システム。
【請求項７】
前記接続部により電子機器に電源供給することを特徴とする請求項６に記載のデータ転送システム。
【請求項８】
前記電子機器は充電電池を内蔵し、前記接続部を介した電源供給により前記充電電池を充電することを特徴とする請求項７に記載のデータ転送システム。
【発明の詳細な説明】
【技術分野】
【０００１】
本発明は、電子機器を設置してデータ転送を行うことのできるデータ転送用架台及びデータ転送システムに関する。
【背景技術】
【０００２】
ＭＤプレーヤ等の携帯型オーディオ機器は充電電池を内蔵し、充電台に設置することにより電源供給して充電が行われる。特許文献１にはＭＤプレーヤを充電する充電台が開示されている。この充電台は、ＭＤプレーヤの底面に設けられた接続口に嵌合する接続部が設けられ、ＭＤプレーヤを装着すると接続部を介して電源が供給されるようになっている。
【０００３】
一方、ネット型ＭＤプレーヤ等のようにパーソナルコンピュータ等の外部機器との間でデータ転送を行う携帯型オーディオ機器が近年商品化されている。これらの携帯型オーディオ機器はデータ転送用架台に設置することにより充電及びデータ転送ができるようになっている。しかしながら、データ転送中に携帯型オーディオ機器がデータ転送用架台から脱落するとデータ転送を最初からやり直すため使用性が悪い問題や、記録媒体を破損する問題がある。このため、データ転送用架台には携帯型オーディオ機器を装着した状態をロックするロック機構が設けられている。
【０００４】
図７は、ロック機構によりＭＤプレーヤをロックするデータ転送用架台を有したデータ転送システムを示す側面断面図である。データ転送システム１は充電電池を内蔵するＭＤプレーヤ２と、ＭＤプレーヤ２を設置するデータ転送用架台１０とから成っている。
【０００５】
データ転送用架台１０は上ケース１１及び下ケース１２を接合して形成され、上ケース１１にはＭＤプレーヤ２を挿入して装着する装着部１３が凹設されている。上ケース１１の後方には回路基板１４上に設けられるコネクタ１５が設けられている。コネクタ１５にはケーブル(不図示)を介してデータ及び電源が供給される。回路基板１４には装着部１３の底面１３ａから上方に突出する接続部(不図示)が接続されている。
【０００６】
データ転送用架台１０内には支軸２４ａで回動可能に支持されるロックレバー２４が設けられる。ロックレバー２４の一端には回動により装着部１３の背面１３ｂに突出可能なフック２８が設けられる。支軸２４ａには捻りバネ２６が設けられ、図中、反時計回りにロックレバー２４が付勢される。これにより、フック２８が装着部１３内に突出する。
【０００７】
ロックレバー２４の他端は上ケース１１の前面に設けられた押しボタン２３が係合する。押しボタン２３には後方に延びるレバー部２３ａが突設され、レバー部２３ａがロックレバー２４の下面に当接することにより、押しボタン２３は前方に付勢されている。従って、図中、一点鎖線で示すように、押しボタン２３を押下することによりロックレバー２４が図中、時計回りに回動してフック２８が装着部１３から離れる。
【０００８】
装着部１３の底面１３ａには貫通孔１３ｃが設けられる。貫通孔１３ｃには蹴り出しレバー２５の先端が挿通されている。蹴り出しレバー２５は支軸２５ａで回動可能に支持され、支軸２５ａに設けられた捻りバネ２７によって図中、反時計回りに付勢されている。これにより、蹴り出しレバー２５の先端が装着部１３内に突出する。
【０００９】
また、ＭＤプレーヤ２の底面２ａにはデータ及び電源を取り入れて接続部と嵌合する接続口(不図示)が設けられる。ＭＤプレーヤ２の背面２ｂ下部にはフック２８と係合する孔部３が凹設されている。
【００１０】
上記構成のデータ転送システム１において、装着部１３にＭＤプレーヤ２を挿入すると、ＭＤプレーヤ２の底面２ａ及び背面２ｂによりそれぞれ蹴り出しレバー２５及びフック２８が押圧される。これにより、蹴り出しレバー２５及びフック２８が装着部１３から退避する。更にＭＤプレーヤ２を挿入するとＭＤプレーヤ２の底面２ａが装着部１３の底面１３ａに当接するとともに孔部３がフック２８に対向する。
【００１１】
これにより、ＭＤプレーヤ２の接続口に接続部が嵌合して充電及びデータ転送が可能になる。また、孔部３にフック２８が係合してＭＤプレーヤ２の装着状態がロックされ、データ転送用架台１０からＭＤプレーヤ２が脱落することを防止できるようになっている。
【００１２】
押しボタン２３を押下すると、ロックレバー２４が回動して孔部３とフック２８の係合が解除される。これにより、蹴り出しレバー２５は捻りバネ２７の付勢力によりＭＤプレーヤ２を蹴り出し、ＭＤプレーヤ２を容易に取り出すことができるようになっている。
【特許文献１】特開２００１−５２７６１号公報（第２頁−第４頁、第１０図）
【発明の開示】
【発明が解決しようとする課題】
【００１３】
しかしながら、上記従来のデータ転送用架台１０によると、ロック機構はロックレバー２４、押しボタン２３、蹴り出しレバー２５を有するため構成が複雑になり、データ転送用架台１０が大型になるとともにコストが大きくなる問題があった。また、携帯型オーディオ機器に限らず、携行可能な電子機器をデータ転送用架台に設置してデータ転送を行う場合も同様にデータ転送用架台にロック機構を設ける必要があり、上記と同様の問題がある。
【００１４】
本発明は、簡単な構成で電子機器のロック機構を実現し、コスト削減及び小型化を図ることのできるデータ転送用架台及びデータ転送システムを提供することを目的とする。
【課題を解決するための手段】
【００１５】
上記目的を達成するために本発明は、携行可能な電子機器を該電子機器の底面から挿入して装着する装着部と、前記装着部に装着した電子機器に接続してデータ通信を可能にする接続部と、前記装着部に装着した電子機器の底面に垂直な面に設けられる孔部に係合して装着状態をロックするフックとを備えたデータ転送用架台において、
前記フックは、前記装着部への電子機器の挿入に連動して前記装着部内に突出し、前記接続部が電子機器に接続する位置で前記孔部の方向に付勢する弾性力により前記孔部に侵入して装着状態をロックするロック位置に配置され、ロック位置から更に挿入方向に移動する電子機器と一体に移動しながら前記孔部から退避して装着状態のロックを解除するロック解除位置に配置されることを特徴としている。
【００１６】
この構成によると、携行可能な電子機器を底面から装着部に挿入するとフックが背面側から突出し、突出方向の弾性力によって孔部に侵入してフックが孔部と係合するとともに接続部が電子機器に接続される。これにより、フックの突出方向の弾性力によって電子機器を容易に取り出すことができず、電子機器をロックした状態でデータ転送することができる。電子機器を更に挿入方向に押圧すると電子機器と一体にフックが挿入方向に移動しながら孔部から離れる方向に移動する。これにより、フックが孔部から退避し、ロック状態が解除される。尚、電子機器は駆動源を内蔵せずに携行時に駆動できなくてもよい。
【００１７】
また本発明は、上記構成のデータ転送用架台において、前記装着部に挿入される電子機器の底面に当接するとともに前記フックと一体の可撓性のアームと、電子機器の装着を開始する位置から前記ロック位置まで前記フック及び前記アームを回動可能に支持するとともに前記ロック位置から前記ロック解除位置までスライド案内する案内部と、電子機器の挿入方向と逆方向に前記フック及び前記アームを付勢する付勢手段とを設け、電子機器を前記装着部に挿入すると前記フックが前記装着部内に突出して電子機器に当接し、更に挿入することにより前記アームが撓むことを特徴としている。
【００１８】
この構成によると、電子機器を装着部に挿入すると電子機器の底面がアームに当接し、一体のフック及びアームが付勢手段の付勢力に抗して案内部の支持により回動することによりフックが装着部に突出する。フックは電子機器の背面に当接してアームが弾性変形して撓み、孔部がフックに対向するとアームの弾性力により孔部にフックが侵入する。これにより、電子機器がロックされる。ロック状態の電子機器を更に挿入方向に押圧するとフック及びアームが案内部によりロック解除位置に案内され、フックが孔部から退避して電子機器のロック状態が解除される。
【００１９】
また本発明は、上記構成のデータ転送用架台において、前記案内部は、円弧状の円弧部と電気機器の挿入方向に対して傾斜した傾斜部とを有する第１溝部と、前記傾斜部に平行な第２溝部とから成るとともに、第１、第２溝部にそれぞれ案内される第１、第２突起部を前記フックまたは前記アームに設け、第１溝により第１突起部を案内して前記フックが回動するとともに、第１、第２溝部により第１、第２突起部を案内して前記フックが前記孔部から退避することを特徴としている。
【００２０】
この構成によると、アーム及びフックは電子機器の装着を開始する位置からロック位置まで第２突起部を支点に第１突起部が第１溝部の円弧部に案内されて回動する。またロック位置からロック解除位置まで第１、第２突起部が平行な第１溝部の傾斜部及び第２溝部に案内されてフックが孔部から退避する。
【００２１】
また本発明は、上記構成のデータ転送用架台において、前記アーム及び前記フックは一端が開放したコ字型に一体に形成されるとともに、開放側を狭める方向の弾性力によって前記ロック位置で電子機器を挟持することを特徴としている。この構成によると、ロック解除位置に配されて孔部との係合を解除されたフックは、アーム及びフックの開放端が狭くなることにより、排出される電子機器の孔部に再度侵入しない。
【００２２】
また本発明は、上記構成のデータ転送用架台において、前記接続部により電子機器に電源供給することを特徴としている。この構成によると、装着部に装着することにより電子機器が電源供給される。電子機器が充電電池を内蔵する場合は電源供給により充電を行うことができる。
【００２３】
また本発明のデータ転送システムは、上記各構成のデータ転送用架台と、前記データ転送用架台に設置される電子機器とを備えたことを特徴としている。
【００２４】
また本発明は、上記構成のデータ転送システムにおいて、前記接続部により電子機器に電源供給することを特徴としている。
【００２５】
また本発明は、上記構成のデータ転送システムにおいて、前記電子機器は充電電池を内蔵し、前記接続部を介した電源供給により前記充電電池を充電することを特徴としている。
【発明の効果】
【００２６】
本発明によると、弾性力により電子機器の孔部に係合して電子機器をロックするフックが電子機器を挿入方向に移動させることにより孔部から退避するので、従来のようなロックを解除する押しボタンを設けることなく電子機器のロック及びロック解除を行うことができる。従って、データ転送用架台の部品点数を削減し、コスト削減及び小型化を図ることができる。
【００２７】
また本発明によると、電子機器の底面に当接する可撓性のアームと一体にフックを設けることにより、電子機器の挿入に伴って案内部の案内によってフックが回動して容易に装着部内に突出させることができるとともに、フックが孔部に侵入する際の弾性力を容易に得ることができる。また、案内部によってロック解除位置に案内されたアーム及びフックを電子機器を排出させる付勢手段によって容易に元の位置に復帰させることができるとともに、従来のような排出用のレバーを設ける必要がなく部品点数を削減することができる。
【００２８】
また本発明によると、案内部が円弧部及び傾斜部から第１溝部と傾斜部と平行な第２溝部とから成り、第１、第２溝部にそれぞれ案内される第１、第２突起部をフックまたはアームに設けたので、容易にフックを装着部に突出させることができるとともに、孔部から退避させることができる。
【００２９】
また本発明によると、コ字型に一体化されるアーム及びフックが開放側を狭める方向の弾性力によって電子機器を挟持するので、ロック解除位置に配されたアーム及びフックは開放端が狭くなることにより、付勢手段により排出される電子機器の孔部にフックが再度侵入しない。従って、電子機器を容易に取り出すことができる。
【００３０】
また本発明によると、接続部により電子機器に電源供給するので、データ転送用架台に電子機器を設置することにより容易に電源供給してデータを転送することができる。電源供給はデータ転送用と一体の接続部により行ってもよく、電源供給用とデータ転送用とが別体の接続部により行ってもよい。
【発明を実施するための最良の形態】
【００３１】
以下に本発明の実施形態を図面を参照して説明する。説明の便宜上、前述の図７に示す従来例と同一の部分は同一の符号を付している。図１は一実施形態のデータ転送システムを示す側面断面図である。データ転送システム１はＭＤプレーヤ２と、ＭＤプレーヤ２を設置するデータ転送用架台１０とから成っている。
【００３２】
ＭＤプレーヤ２は断面略矩形になっており、充電電池(不図示)が内蔵されている。ＭＤプレーヤ２の底面２ａ及び背面２ｂにはそれぞれ接続口(不図示）及び孔部３が凹設されている。接続口は充電電池に電源を供給するとともに、パーソナルコンピュータ等に接続してデータ通信することができる。電源供給用の接続口とデータ通信用の接続口とを別々に設けてもよい。
【００３３】
図２、図３はデータ転送用架台１０の平面図及び正面図を示している。図１〜図３に示すように、データ転送用架台１０は上ケース１１及び下ケース１２を接合して形成され、上ケース１１の上面にはＭＤプレーヤ２を底面２ａから挿入して装着する装着部１３が凹設されている。上ケース１１の後方には回路基板１４上に設けられるコネクタ１５が設けられている。
【００３４】
コネクタ１５にはケーブル(不図示)を介してデータ及び電源が供給される。コネクタ１５にはＵＳＢ接続等によりデータ及び電源を同時に供給してもよく、シリアル接続等によるデータ転送と別に電源ケーブルを接続してもよい。回路基板１４には装着部１３の底面１３ａから上方に突出する接続部２１が接続されている。接続部２１がＭＤプレーヤ２の接続口に嵌合してＭＤプレーヤ２に電源及びデータが供給される。
【００３５】
装着部１３の底面１３ａには圧縮バネ１７(付勢手段)が設けられる。圧縮バネ１７上には樹脂によりＬ字型に形成される可撓性のアーム１８が載置されている。アーム１８の上方の先端にはフック１９が突設され、フック１９及びアーム１８は略コ字型に一体的に形成されている。フック１９はアーム１８と一体成形してもよく、別に形成して両者を取り付けて一体化してもよい。
【００３６】
フック１９及びアーム１８は上ケース１１内に配置され、装着部１３の背面１３ｂに設けられた開口部１３ｄを介して装着部１３内に突出する。フック１９は後述するように回動して不使用時には上ケース１１内に配される。上ケース１１にはアーム１８の両側面に対向するリブ２２が設けられる。アーム１８の両側面には第１、第２ピン１８ａ、１８ｂ(第１、第２突起部)が突設されている。第１ピン１８ａをフック１９に設けてもよい。
【００３７】
リブ２２には第１、第２ピン１８ａ、１８ｂにそれぞれ係合する第１、第２溝部２０ａ、２０ｂから成る案内部２０が形成されている。第１溝部２０ａは略Ｌ字型に形成され、円弧状の円弧部２０ｃと装着部１３の背面１３ｂに対して下方へ行くほど離れるように傾斜した傾斜部２０ｄとを有している。第２溝部２０ｂは傾斜部２０ｄと平行に形成される。尚、第１溝部２０ａの円弧部２０ｃは第２溝部２０ｂの上端に配置される第２ピン１８ｂを中心とした円弧上に形成される。また、アーム１８の上端には後方へ付勢する引張りバネ１６(付勢手段)が設けられている。
【００３８】
上記構成のデータ転送システム１において、図４はＭＤプレーヤ２をデータ転送用架台１０に装着開始する状態を示している。引張りバネ１６及び圧縮バネ１７の付勢力により第１ピン１８ａが第１溝部２０ａの円弧部２０ｃの後端に配置され、第２ピン１８ｂが第２溝部２０ｂの上端に配置される。これにより、フック１９が上ケース１１内に収納され、装着開始位置に配置される。
【００３９】
ＭＤプレーヤ２を装着部１３の背面１３ａに沿って装着部１３内に下方に挿入するとＭＤプレーヤ２の底面２ａが引張りバネ１６及び圧縮バネ１７の付勢力に抗してアーム１８を押圧する。この時、円弧部２０ｃと第１ピン１８ａの係合によりフック１９及びアーム１８は下方に移動できない。このため、第２ピン１８ｂが第２溝部２０ｂの上端で支持されるとともに第１ピン１８ａが円弧部２０ｃに案内され、第２ピン１８ｂを中心にフック１９及びアーム１８が図中、反時計回りに回動する。
【００４０】
フック１９は回動によって装着部１３内に突出し、ＭＤプレーヤ２の背面２ｂに当接する。更にＭＤプレーヤ２を下方に押圧すると、図５に示すように、アーム１８が弾性変形して撓み、Ｌ字型の中心角θが広がる。これにより、フック１９はＭＤプレーヤ２の背面２ｂを付勢する。
【００４１】
そして、ＭＤプレーヤ２の孔部３がフック１９に対向すると、前述の図１に示すようにアーム１８の弾性力によってフック１９が孔部３に侵入する。このため、コ字型のフック１９及びアーム１８の弾性力によりＭＤプレーヤ２の底面２ａと孔部３との間が挟持される。同時に、接続部２１がＭＤプレーヤ２の接続口に嵌合される。これにより、フック１９及びアーム１８がロック位置に配置され、ＭＤプレーヤ２の装着状態がロックされる。
【００４２】
ＭＤプレーヤ２の装着が完了すると、接続部２１を介して充電電池の充電が行われるとともに、データの転送を行うことができる。この時、フック１９が孔部３に係合しているためＭＤプレーヤ２を上方に引いて容易に取り出すことができず、データ転送の中断による使用性の低下や記録媒体の破損を防止することができる。
【００４３】
ＭＤプレーヤ２をロックした状態から更に下方にＭＤプレーヤ２を押圧すると、第１、第２ピン１８ａ、１８ｂがそれぞれ傾斜部２０ｄ及び第２溝部２０ｂに案内される。これにより、ＭＤプレーヤ２、フック１９及びアーム１８は一体にスライド移動する。この時、装着部１３の背面１３ｂに対して傾斜部２０ｄ及び第２溝部２０ｂが傾斜しているため、フック１９及びアーム１８は下方へ行くほどＭＤプレーヤ２から離れる。
【００４４】
そして、図６に示すように、フック１９及びアーム１８がロック解除位置に配置され、孔部３からフック１９が退避する。これにより、ＭＤプレーヤ２のロックが解除され、ＭＤプレーヤ２をデータ転送用架台１０から取り出すことができる。この時、引張りバネ１６及び圧縮バネ１７の付勢力によりＭＤプレーヤ２はアーム１８を介して上方に押し上げられる。従って、従来例のような押しボタン２３や蹴り出しレバー２５(図７参照)を設ける必要がなく、簡単な構成で容易にＭＤプレーヤ２のロックを解除して排出することができる。
【００４５】
また、ＭＤプレーヤ２のロックを解除した時にフック１９及びアーム１８は弾性力によりコ字型の開放側が狭められる。従って、排出されるＭＤプレーヤの孔部３に再度フック１９が侵入することがなく、操作性を向上することができる。尚、接続部２１（図２参照）を上方に付勢して設け、ロック状態からＭＤプレーヤ２と一体に接続部２１を降下させてもよい。
【００４６】
本実施形態によると、弾性力によりＭＤプレーヤ２の孔部３に係合してＭＤプレーヤ２をロックするフック１９が、ＭＤプレーヤ２を挿入方向に移動させることにより孔部３から退避するので、従来のようなロックを解除する押しボタン２３(図７参照)を設けることなくＭＤプレーヤ２のロック及びロック解除を行うことができる。従って、データ転送用架台１０の部品点数を削減し、コスト削減及び小型化を図ることができる。
【００４７】
また、ＭＤプレーヤ２の底面２ａに当接する可撓性のアーム１８と一体にフック１９を設けることにより、ＭＤプレーヤ２の挿入に伴ってフック１９を容易に装着部１３内に突出させることができるとともに、フック１９が孔部３に侵入する際の弾性力を容易に得ることができる。また、ロック解除位置に案内されたフック１９及びアーム１８を引張りバネ１６及び圧縮バネ１７により容易に元の位置に復帰させることができるとともに、従来のような排出用の蹴り出しレバー２４(図７参照)を設ける必要がなく更に部品点数を削減することができる。
【００４８】
尚、データ転送用架台１０にはＭＤプレーヤ２を設置しているが、他の電子機器を装着してデータ転送を行ってもよい。例えば、ＨＤＤプレーヤ等の他の携帯型オーディオ機器、携帯電話機、デジタルカメラ、ノート型パーソナルコンピュータ、カーナビゲーションシステム、ＨＤＤ等の外部記憶装置等の携行可能な電子機器を設置することができる。
【００４９】
これにより、電子機器の充電台、拡張ステーションあるいはクレイドルとしてデータ転送用架台１０を用いてデータ転送や電源供給を行うことができる。また、カーナビゲーションシステムや外部記憶装置等のように充電電池等の駆動源を内蔵せず、携行時に駆動できない電子機器を、データ転送用架台１０によって充電を行わずにデータ転送を行ってもよい。
【産業上の利用可能性】
【００５０】
本発明は、ＭＤプレーヤ等の携帯型オーディオ機器、携帯電話機、デジタルカメラ、ノート型パーソナルコンピュータ、カーナビゲーションシステム、ＨＤＤ等の外部記憶装置等を設置してデータ転送や充電を行うデータ転送用架台及びデータ転送システムに利用することができる。
【図面の簡単な説明】
【００５１】
【図１】本発明の実施形態のデータ転送システムを示す側面断面図
【図２】本発明の実施形態のデータ転送システムのデータ転送用架台を示す上面図
【図３】本発明の実施形態のデータ転送システムのデータ転送用架台を示す正面断面図
【図４】本発明の実施形態のデータ転送システムの動作を説明する側面断面図
【図５】本発明の実施形態のデータ転送システムの動作を説明する側面断面図
【図６】本発明の実施形態のデータ転送システムの動作を説明する側面断面図
【図７】従来のデータ転送システムを示す側面断面図
【符号の説明】
【００５２】
１    データ転送システム
２    ＭＤプレーヤ
３    孔部
１０    データ転送用架台
１３    装着部
１６    引張りバネ
１７    圧縮バネ
１８    アーム
１８ａ、１８ｂ  第１、第２ピン(第１、第２突起部)
１９    フック
２０    案内部
２０ａ、２０ｂ  第１、第２溝部
２０ｃ  円弧部
２０ｄ  傾斜部
２１    接続部
２３    押しボタン
２４    ロックレバー
２５    蹴り出しレバー
【図１】
2005346992.tif 000003
【図２】
2005346992.tif 000004
【図３】
2005346992.tif 000005
【図４】
2005346992.tif 000006
【図５】
2005346992.tif 000007
【図６】
2005346992.tif 000008
【図７】
2005346992.tif 000009